(57)【要約】本願は、デジタル番組の再生方法であって、リンク情報に関連付けられたデジタル番組を再生するステップと、特定のアドレスにおいてネットワークデータを記録するために、リンク情報に対応するネットワークデータを取得するステップとを有する方法を開示する。本願は、また、デジタル番組を再生するための装置と、デジタル番組を複製するための方法及び装置とを開示する。本願により、遠隔端末から取得されたネットワークデータは、現在の双方向ＴＶ番組が再生される場合に記録され得るので、記録された双方向ＴＶ番組は、遠隔端末でのネットワークデータが将来もはや利用可能でない場合でさえ、完全に再生され得る。
2008529335.tif 000002
【特許請求の範囲】
【請求項１】
デジタル番組を再生する方法であって：
（ａ）リンク情報に関連付けられたデジタル番組を再生するステップ；及び
（ｂ）特定のアドレスにおいてネットワークデータを記録するために、前記リンク情報に対応する前記ネットワークデータを取得するステップ；
を有する方法。
【請求項２】
前記デジタル番組を受信するステップを更に有する、請求項１記載の方法。
【請求項３】
前記デジタル番組を記録するステップを更に有する、請求項１記載の方法。
【請求項４】
前記ネットワークデータを記録するステップを更に有する、請求項１記載の方法。
【請求項５】
前記特定のアドレスと前記リンク情報との間の対応関係を反映するマッピングファイルを作成するステップを更に有する、請求項１記載の方法。
【請求項６】
前記マッピングファイルを記録するステップを更に有する、請求項１記載の方法。
【請求項７】
デジタル番組を再生する装置であって：
リンク情報に関連付けられたデジタル番組を再生する再生手段；及び
特定のアドレスにおいてネットワークデータを記録するために、前記リンク情報に対応する前記ネットワークデータを取得する取得手段；
を有する装置。
【請求項８】
前記デジタル番組及び前記ネットワークデータを記録する記録手段を更に有する、請求項７記載の装置。
【請求項９】
前記特定のアドレスへ前記ネットワークデータを送信する送信手段を更に有する、請求項７記載の装置。
【請求項１０】
前記取得手段は、前記特定のアドレスと前記リンク情報との間の対応関係を反映するマッピングファイルを作成するマッピングファイル作成手段を更に有する、請求項７記載の装置。
【請求項１１】
デジタル番組を複製する方法であって：
リンク情報に関連付けられたデジタル番組を再生するステップ；及び
前記リンク情報に対応するネットワークデータが再生される必要がある場合に、ローカルな予め格納されたネットワークデータを再生するステップ；
を有する方法。
【請求項１２】
マッピングファイル及び前記リンク情報に従って前記ローカルな予め格納されたネットワークデータを取得するステップを更に有する、請求項１１記載の方法。
【請求項１３】
デジタル番組を複製する装置であって：
リンク情報に関連付けられたデジタル番組を再生する再生手段；及び
前記リンク情報に対応するネットワークデータが再生される必要がある場合に、ローカルな予め格納されたネットワークデータを取得するネットワークデータ取得手段；
を有する装置。
【請求項１４】
前記再生手段は、更に、前記ネットワークデータを再生するために使用される、請求項１３記載の装置。
【発明の詳細な説明】
【技術分野】
【０００１】
本発明は、デジタル番組を処理するための方法及び装置に関し、更に具体的には、デジタルＴＶ番組のための再生方法及び装置に関する。
【背景技術】
【０００２】
ＴＶ番組の放送は、我々が情報を得るための慣習的な方法である。ＩＰ技術の発展に伴って、ネットワークは、情報を取得するためのもうひとつの重要な方法となりつつある。テキスト、グラフィックス、視聴覚情報及び他の様々な種類の情報は、ネットワークサービスによってユーザへ提供され得る。放送のシナリオでは、放送局は、「プッシュ（ｐｕｓｈ）」方式によりユーザへ番組内容を送信する。しかし、ネットワークサービスのシナリオでは、ユーザは、自発的にネットワークサーバーから情報を得ることができ、この方式はプル（ｐｕｌｌ）とも呼ばれる。デジタルＴＶ放送の発展に伴って、放送サービスとネットワークサービスとの間の共同作業は新しい展望をもたらす。
【０００３】
デジタル双方向ＴＶ（ｉＴＶ）番組は、視聴覚コンテンツのみならず、双方向アプリケーションも含む。幾つかの双方向アプリケーションは、ネットワーク接続を介してデータを得る機能又はネットワークにアクセスする機能を有する。記憶装置又は双方向ＴＶレコーダを備えたセットトップボックス（ＳＴＢ）は、記憶媒体へｉＴＶ番組を録画することができる。記憶媒体は、例えば、ＤＶＤ＋ＲＷディスク若しくはブルーレイディスクなどの光学ディスク又はハードディスクであっても良い。レコーダは、ｉＴＶ番組の再生を伴わずにｉＴＶ番組を直接に録画することができる。
【０００４】
ネットワークサービスはユーザへ個別化を提供し、ユーザは、関心のあるアイテムを視るよう選択することができる。これは、放送とは異なった１つの特徴である。放送は、幾つかの特別のサービスを提供するために料金を請求し、あるいは、顧客を魅了するためにそれらのサービスを使用することもあり得た。
【０００５】
放送がネットワークデータを使用する１つの例はマルチアングル番組である。例えば、サッカーの試合中に、マルチアングル番組が存在しうる。幾つかの見所があった場合に、ユーザはそれらを異なる角度から視ることを望むことがあり、通常、試合全体を追跡するよう競技場には複数のカメラが存在する。同時に異なる角度から全ての番組を放送することは、帯域利用のために費用がかかり、また、一部のユーザは異なる角度を視ることを望むが、他のユーザは望まないこともある。この問題を解決する良い方法は、放送チャネルで主要な角度を放送し、ネットワークサーバーに他の角度を置くことであり、ユーザは自らが望むそれらの角度を視る。双方向番組は、それらの角度の表示を決定することができる。それらは、ピクチャ・イン・ピクチャとして又は全画面で表示可能である。
【０００６】
ＴＶ番組の録画は、ユーザからの自然の要求である。ユーザは、ＶＣＲを用いることによってアナログＴＶ番組を録画するのと同様に、ＰＤＲを用いることによってデジタルＴＶ番組を録画することを望む。ユーザがＴＶ番組を視て、比較的関心のあるものを見つけた場合に、ユーザは、このようなＴＶ番組を録画することを望む。しかし、ネットワークにアクセス可能なｉＴＶ番組に関して、通常、ネットワークにアクセスするためのコマンドは、双方向アプリケーションによって開始される。例えば、ネットワークサーバーは、表示するための幾つかの画像ファイルをサーバーから得るように、アプリケーションによってアクセスされ得る。しかし、様々なｉＴＶ番組を提供する既存のシステムで、レコーダは、ｉＴＶ番組がネットワークにアクセスするつもりであることを知ることができない。従って、レコーダは、ネットワークデータを記録することができない。ｉＴＶ番組とともに提供されるネットワークリンクによって導かれたネットワークデータは、生放送後のある時点では利用可能でない。レコーダが生放送中にネットワークデータを記録しないならば、録画されたｉＴＶ番組の再生は、ユーザが通常期待した通りには行われないことがある。
【０００７】
従って、ｉＴＶ番組が録画される場合に、このようなＴＶ番組に関連するネットワークデータは、ローカルな記憶装置に記録される必要がある。
【発明の開示】
【発明が解決しようとする課題】
【０００８】
本発明は、ローカル記憶装置に再生中のデジタル番組に関連したネットワークデータを記録するよう、デジタル番組が再生されている場合にその番組に関連したネットワークデータを得ることができる、デジタル番組の再生のための方法及び装置を提供することを目的とする。
【０００９】
本発明は、また、ローカル記憶装置に記録されたデジタル番組を都合良く再生することができる、デジタル番組の複製のための方法及び装置を提供することを目的とする。
【課題を解決するための手段】
【００１０】
上記目的のために、本発明の態様に従って、デジタル番組を再生する方法であって、リンク情報に関連付けられたデジタル番組を再生するステップと、特定のアドレスにおいてネットワークデータを記録するために、前記リンク情報に対応する前記ネットワークデータを取得するステップとを有する方法が提供される。
【００１１】
本発明の他の態様に従って、デジタル番組を再生する装置であって、リンク情報に関連付けられたデジタル番組を再生する再生手段と、特定のアドレスにおいてネットワークデータを記録するために、前記リンク情報に対応する前記ネットワークデータを取得する取得手段とを有する装置が提供される。
【００１２】
加えて、本発明は、デジタル番組を複製する方法であって、リンク情報に関連付けられたデジタル番組を再生するステップと、前記リンク情報に対応するネットワークデータが再生される必要がある場合に、ローカルな予め格納されたネットワークデータを再生するステップとを有する方法を更に提供する。
【００１３】
本発明の更なる態様に従って、デジタル番組を複製する装置であって、リンク情報に関連付けられたデジタル番組を再生する再生手段と、前記リンク情報に対応するネットワークデータが再生される必要がある場合に、ローカルな予め格納されたネットワークデータを取得するネットワークデータ取得手段とを有する装置が提供される。
【００１４】
本発明に従って、遠隔端末から取得されたネットワークデータは、現在のデジタル番組が再生される場合に記録され得るので、記録されたデジタル番組は、前記遠隔端末でのネットワークデータが将来もはや利用可能でない場合でさえ、完全に再生され得る。
【００１５】
添付の図面及び特許請求の範囲に関連する以下の記載から、本発明の他の目的及び利点は明らかとなり、本発明は、また、より包括的に理解されるであろう。
【発明を実施するための最良の形態】
【００１６】
以降、本発明の好ましい実施例について図面を参照して以下で記載する。
【００１７】
添付された全ての図面で、同一の参照番号は、同一の又は類似する特徴及び機能を表す。
【００１８】
以降、本発明の好ましい実施例について図面を参照して詳細に記載する。
【００１９】
図１は、本発明の実施例に従うデジタル番組再生のフローチャートである。
【００２０】
図１に示されるように、ステップＳ１１０で、デジタル番組は再生される。ここで、デジタル番組は、リンク情報に関連付けられたｉＴＶ番組である。当然、デジタル番組は他の番組であっても良い。デジタル番組の形式は、本発明に対する限定を構成しない。再生されるべきデジタル番組は、生放送のデジタル番組又は、ローカル記憶装置に録画されたデジタル番組であっても良い。再生されるべきデジタル番組が生放送番組であるならば、デジタル番組を受信することが必要である。一方、再生されるべきデジタル番組がローカル記憶装置から再生されるデジタル番組であるならば、この番組を直接的に再生することしか必要とされない。
【００２１】
ステップＳ１２０で、ネットワークへ送信されるデータパケットは、ネットワーク接続のためのネットワーク宛先アドレス（例えば、ＵＲＬアドレス。）を取得するようトラッキングされる。データパケットは、デジタル番組のトランスポートストリームでアプリケーションを実行することによってネットワークへ送信される。当然、アプリケーションにおいてリンク情報から直接にネットワーク接続のためのネットワーク宛先アドレスを取得することも可能である。
【００２２】
ネットワークリンクは、多種多様な形式でｉＴＶ番組へ挿入され、多数の場所でトランスポートストリームに挿入され得る。ＭＨＰは、デジタルＴＶ放送及びネットワークサービスを結合する一例である。
【００２３】
ネットワークアクセスの「プル（ｐｕｌｌ）」特性のために、ネットワーク接続は、常に、双方向アプリケーションを介してユーザによって開始される。通常、ネットワークリンクは、２種類の場所で、即ち、アプリケーションコードで又はアプリケーションデータで、トランスポートストリームに挿入される。双方向アプリケーションは、ネットワークデータへユーザを導くことができる。あるいは、双方向アプリケーションは、アプリケーションコード又はアプリケーションデータファイルに埋め込まれたＵＲＬを用いることによってネットワークへ直接に接続する。
【００２４】
ネットワークリンクは、アプリケーションコードの一部又はアプリケーションデータの一部であっても良く、例えば、ＵＲＬはテキストファイルに記載されており、アプリケーションによって使用され得る。ＵＲＬは、また、アプリケーションコードの一部であっても良い。
【００２５】
接続が確立した後、アプリケーションは、必要とされるデータをネットワークから読み出すことができる。
【００２６】
ステップＳ１３０で、ネットワークから受信されたデータパケットは、ネットワークからネットワーク宛先アドレスに対応するネットワークデータを取得するようトラッキングされる。同時に、対応する応答情報も取得され得る。ネットワークデータは、作動中のアプリケーションによってネットワークから直接に取得されるデータと、双方向動作を介してユーザによってネットワークから取得されるデータとを含む。
【００２７】
更に、マッピングファイルは、ネットワークデータのネットワーク宛先アドレスと、ローカル宛先アドレスとの間の対応関係を反映するよう作成される（ステップＳ１４０）。ローカル宛先アドレスは、特定の記憶装置アドレスである。記憶装置アドレスは、予め設定されても良く、あるいは、ネットワークデータがローカル記憶装置に格納された後に決定され得る。
【００２８】
次に、ステップＳ１５０で、ステップＳ１１０で再生されたデジタル番組、ステップＳ１３０で取得されたネットワークデータ及びステップＳ１４０で作成されたマッピングファイルは記録される。
【００２９】
当然、デジタル番組、デジタルデータ及びマッピングファイルは、同じ記憶装置（例えば、パーソナルデジタルビデオレコーダ又は、記憶装置を備えたセットトップボックス。）又は異なる記憶装置（例えば、ＤＶＤバーナー又はパーソナルコンピュータ）に記録されても良い。
【００３０】
デジタル番組がローカル記憶装置に録画されたならば、再びステップＳ１１０で再生されたデジタル番組を録画することは必要とされない。
【００３１】
パーソナルコンピュータに対応するダウンロード処理を実行するよう指示することは、以下の考えに基づく。ネットワークナビゲーションは、時々、例えばｉＴＶのようなデジタル番組を視る活動に従わない。幾つかのウェブページは、ＴＶ受像機で質の悪い表示効果を有することがある。同じく、幾つかのＴＶ受像機は、最新のウェブフォーマットに対応しない。しかし、放送局は、常に、特定のウェブサイトにアクセスするようＴＶの視聴者を魅了するために、ｉＴＶ番組を介して幾つかの特別なデータコンテンツを提供しようと試みる。
【００３２】
例えば、放送局は、あるグラフィックス又はテキスト（実際のＵＲＬではない。）をｉＴＶ番組に挿入して、トランスポートストリームによりそれらをＴＶの視聴者に提供することができる。ＴＶの視聴者は、それらのグラフィックス又はテキストに連関したウェブコンテンツ（以降、「ネットワークデータ」と称する。）を視たり、あるいはダウンロードしたりするよう選択することができる。ＴＶ受像機で再生されることは、幾つかのウェブコンテンツ（例えば、「フラッシュ（ｆｌａｓｈ）」ファイル）にとっては都合が悪い。従って、ユーザは、後にこのようなウェブコンテンツを視ることができるように、このようなウェブコンテンツを再生するよう適合された装置（例えば、パーソナルコンピュータ。）にそのようなコンテンツをダウンロードするよう選択することができる。
【００３３】
視聴者がｉＴＶ番組を視る場合に、視聴者は、パーソナルコンピュータの電源をオンしたいとは思わないことがあり、あるいは、その電源をオンするための十分な時間を有していないことがある。従って、放送されたウェブコンテンツはダウンロードされない。しかし、図１に示された方法に従って、ｉＴＶ番組が録画される場合に、パーソナルコンピュータにダウンロードされる必要があるネットワークデータは、自動的にダウンロードされ得る。連関した対象が実際のコンテンツであるならば、それらは完全にパーソナルコンピュータにダウンロードされる。連関した対象がウェブページであるならば、このウェブページを示すブックマークがパーソナルコンピュータのブラウザに加えられ、従って、ユーザは、常に、このウェブページの最新版を見ることができる。
【００３４】
図２は、本発明の実施例に従うデジタル番組再生のための装置２００を示す系統図である。装置２００は、セットトップボックスの一部であっても良い。
【００３５】
図２に示されるように、デジタル番組を処理するための装置は、再生モジュール２１０と、取得モジュール２２０とを有する。加えて、デジタル番組を処理するための装置は、記録モジュール２３０と、記憶装置２４０とを更に有する。
【００３６】
記録モジュール２３０は、ｉＴＶ番組録画モジュール２３２と、ネットワークデータ記録モジュール２３６と、マッピングファイル記録モジュール２３８とを有する。
【００３７】
図２に示されるように、デジタル番組信号ｉＴＶは再生モジュール２１０へ送信される。なお、デジタル番組は、リンク情報に関連付けられたｉＴＶ番組である。当然、デジタル番組は、他の種類のデジタル番組であっても良い。デジタル番組信号ｉＴＶは、生放送のデジタル番組又は、ローカル記憶装置から再生されたデジタル番組であっても良い。
【００３８】
デジタル番組信号ｉＴＶは、視聴覚データ及び双方向アプリケーションを含む。双方向アプリケーションの作用は、デジタル番組信号ｉＴＶに含まれるネットワークリンク情報へ再生モジュール２１０を連関させる。ネットワークリンクは、通常、ＵＲＬフォーマットを有し、プロトコル情報、ネットワーク宛先アドレス情報及び認証情報などを含む。対応するネットワークデータは、ネットワーク宛先アドレス情報によって導かれるネットワークサーバーから読み出される。（音声信号及び映像信号を含む）ｉＴＶ信号の視聴覚データ並びにネットワークデータは、再生モジュール２１０によって処理され、次に、例えばＴＶ番組再生機などの画像表示装置により再生される。
【００３９】
ネットワークデータは、ネットワークサーバーから取得されたデータを意味し、ＴＣＰ／ＩＰパケットの有効ロード部である。ＴＣＰ／ＩＰパケットは、ヘッダ部及び有効ロード部を含む。ヘッダ部は通信のための情報を含み、有効ロード部はネットワーク接続を介して転送されるデータを含む。本実施例で、ネットワークデータは、ＩＰパケットの有効ロード部のみを意味する。例えば、ネットワークデータは、例えばｆｏｏｔｂａｌｌｐｌａｙｅｒ．ｔｘｔなどのテキストファイル又は、例えばｐｌａｙｅｒ．ｊｐｇなどの画像ファイルなどであっても良い。
【００４０】
取得モジュール２２０は、デジタル番組のトランスポートストリームでアプリケーションを実行することによってネットワークへ送信されるパケットをトラッキングし、接続されるネットワーク宛先アドレスを取得し、ネットワークから受信したデータパケットを追跡することによってネットワークからネットワーク宛先アドレスに対応するネットワークデータを取得する。同時に、対応する応答情報も取得され得る。ネットワークデータは、アプリケーションを実行することによってネットワークから直接的に取得されるデータと、双方向作用を介してユーザによってネットワークから取得されるデータとを含む。
【００４１】
更に、取得モジュール２２０は、ネットワークデータのネットワーク宛先アドレスと、ローカル宛先アドレスとの間の対応関係を反映するマッピングファイルを作成するマッピングファイル作成手段２２２を有する。ローカル宛先アドレスは特定の記憶装置アドレスである。このアドレスは、予め設定されても、あるいはネットワークデータがローカル記憶装置に格納された後に決定されても良い。
【００４２】
当然、マッピングファイル作成手段２２２は、取得モジュール２２０の一部である必要はなく、別個に設けられても良い。
【００４３】
ローカル宛先アドレスは、装置２００に含まれる記憶装置２４０の記憶アドレスである。ローカル宛先アドレスは、また、装置２００に属しない記憶装置（図示せず。例えば、ＤＶＤバーナー。）の記憶アドレスであっても良い。この場合に、装置２００は、記憶アドレスへ取得したネットワークデータを送信するための送信手段（図示せず。）を更に有する。
【００４４】
記録モジュール２３０は、デジタル番組ｉＴＶと、取得モジュール２２０によって取得されたネットワークデータと、取得モジュール２２０によって作成されたマッピングファイルとを記録するために使用される。記録モジュール２３０で、ｉＴＶ番組録画モジュール２３２はデジタル番組ｉＴＶを録画するために使用され、ネットワークデータ記録モジュール２３６はネットワークデータを記録するために使用され、マッピングファイル記録モジュール２３８はマッピングファイルを記録するために使用される。
【００４５】
記録モジュール２３０は、別個に、装置２００の外側に設けられても良い。
【００４６】
デジタル番組、ネットワークデータ及びマッピングファイルは、装置２００に含まれるローカル記憶装置２４０に記録される。当然、デジタル番組、ネットワークデータ及びマッピングファイルは、また、装置２００とは別個に設けられた独立した記憶装置に記録されても良い。
【００４７】
ネットワークデータがローカル記憶装置に格納された後にローカル宛先アドレスが決定されるならば、ネットワークデータは、最初に、ネットワークデータ記録モジュール２３６によってローカル記憶装置２４０に格納され、その格納されたネットワークデータの、例えばファイルパス及びファイル名などのローカル記憶情報は、マッピングファイル作成手段２２２へ送信される。それによって、マッピングファイル作成手段２２２は、対応するマッピングファイルを作成する。
【００４８】
当然、マッピングファイルは、装置２００の外側に設けられた装置によって作成されても良い。
【００４９】
マッピングファイルは、以下、例となる方法で記載される。
【００５０】
【表１】
2008529335.tif 000003
「Ｏｒｉｇｉｎａｌ＿ｌｉｎｋ」はリンクのＵＲＬ情報であり、「Ｃｏｎｔｅｎｔ＿ｒｅｆ」は連関したコンテンツのローカル記憶装置の記憶位置である。再生中ならば、録画されたデジタル番組は、ｐｌａｙｅｒ２．ｊｐｇを得るようネットワークサーバーへ接続すべきであり、再生システムは、ローカル記憶装置からこのｐｌａｙｅｒ２．ｊｐｇを取得することができる。
【００５１】
従って、デジタル番組を再生中に、双方向アプリケーションによって使用されるネットワークデータ及びマッピング情報は、デジタル番組信号ｉＴＶとともに記憶装置２４０に格納され得る。録画されたデジタル番組を将来再生する場合に、再生機は、記憶装置２４０に記憶されたネットワークデータにアクセスすることができ、従って、このデジタル番組は、ネットワークへのアクセスを減少又は回避するよう完全に複製され得る。
【００５２】
上述された記憶装置２４０は、ハードディスク又は光学ディスク（ＤＶＤ又はブルーレイ光ディスク）であっても良い。
【００５３】
以下は、ネットワークリンク情報及びネットワークデータを取得する方法について説明する。
【００５４】
図２に示された取得モジュール２２０は、以下の２つの方法で実施され得る。
【００５５】
第１の方法は、全てのＩＰパケットを取得するためにＩＰモジュールを使用することである。ネットワークリンク情報及びネットワークデータの送信はインターネットプロトコル（ＩＰ）に基づくので、ＩＰパケットはネットワークデータを搬送するキャリアである。この取得モジュール２２０は、また、パケットフィルタとも呼ばれる。パケットフィルタの技術は、コンピュータのファイアウォールで幅広く使用されてきた。これは、ネットワークリンク情報及びネットワークデータを取得する直接的方法である。
【００５６】
第２の方法は、ＩＰパケットを取得するためにプロキシを使用することである。全てのネットワークリンク情報は、プロキシモジュールへ導かれる。プロキシモジュールは、ネットワーク接続要求を記録し、また、ネットワークから得られたネットワークデータを記録する。
【００５７】
パケットフィルタモジュールは、全てのＩＰパケットにフィルタをかけるモジュールであっても良く、プロキシモジュールは、再生モジュールのミドルウェアと組み合わせられても良い。双方向アプリケーションは、ネットワークへの接続をまさに開始し、プロキシモジュールは、ネットワークから応答を得て、ネットワークデータを記録し、双方向アプリケーションへ戻りデータを導く。
【００５８】
図３は、本発明の実施例に従うデジタル番組複製の方法のフローチャートである。
【００５９】
図３に示されるように、ステップＳ３１０で、デジタル番組は再生される。上述されたように、デジタル番組はｉＴＶ番組であっても良く、１又はそれ以上のアプリケーションを有しても良い。デジタル番組におけるアプリケーションは、ネットワーク接続と関連付けられている。即ち、デジタル番組は、リンク情報に関連付けられている。
【００６０】
ステップＳ３２０で、デジタル番組のアプリケーションは実行される。
【００６１】
ステップＳ３３０で、アプリケーションがネットワークデータを取得する必要があるかどうかが判断される。
【００６２】
ステップＳ３３０での判断結果が肯定であったならば、処理はステップＳ３４０へ進む。そうでない場合には、処理はステップＳ３６０へ進む。
【００６３】
ステップＳ３４０で、ローカルな記憶されたマッピングファイルは、アプリケーションによって必要とされるネットワーク接続と、ローカルな記憶されたネットワークデータ又は、ネットワークからダウンロードされることを必要とされたネットワークデータとの間の対応関係を取得するよう、検索される。
【００６４】
ステップＳ３５０で、ステップＳ３４０で取得された対応関係に従って、ネットワークデータは、ローカル又はネットワークのいずれか一方から取得され、取得されたネットワークデータは複製される。
【００６５】
ステップＳ３６０で、再生されるデジタル番組が終了したかどうかが判断される。
【００６６】
ステップＳ３６０での判断結果が否定であるならば、処理はステップＳ３３０へ戻る。そうでない場合には、処理は終了する。
【００６７】
ステップＳ３４０は選択的である。
【００６８】
ステップＳ３２０も選択的である。それは、ローカルな記憶されたネットワークデータを直接に複製することができる。
【００６９】
デジタル番組とともにローカルな記憶されたネットワークデータを使用するために、プロキシは、再生装置で設定されても良い。ローカルな記憶されたデジタル番組が再生され、アプリケーションがネットワークデータを得ることを開始する場合に、プロキシは、ローカルに記憶されたマッピングファイルを解析することによって、関連するネットワークデータがネットワークから又はローカル記憶装置から得られるかどうかを決定しうる。
【００７０】
生放送中に、連関したコンテンツは、ネットワーク接続を介してネットワークから双方向アプリケーションによって取得される。リンクを埋め込まれたデジタル番組が記憶されて、ローカル記憶装置から再生される場合に、アプリケーションは、また、ネットワークへ接続されようと試みる。従って、アプリケーションが記憶される場合に、そのアプリケーションコードは変更されるべきであり、あるいは、再生装置（例えば、再生機。）は、ローカル記憶装置からネットワークデータを得るようアプリケーションの出力先を変更すべきである。アプリケーションが記憶される場合のアプリケーションの変更は実現可能な解決方法ではない。これは、レコーダ（例えば、ビデオレコーダ。）がアプリケーションコードの全てを解析する必要があるためである。それは、実時間記録には適しておらず、変更されたアプリケーションは、アプリケーションがトランスポートストリームとは別個に記憶されていない場合に、再びトランスポートストリームに多重化される必要さえある。
【００７１】
実際の場合に、幾つかの連関したコンテンツはローカルに記憶されても良く、幾つかの連関したコンテンツはネットワークから取得されても良い。
【００７２】
図４は、本発明の実施例に従うデジタル番組複製のための装置を示すブロック図である。
【００７３】
一般に、本実施例の再生装置は、録画されたデジタル番組を再生する手段と、デジタル番組のリンク情報に対応するネットワークデータが再生される必要がある場合に、ローカルな予め記憶されたネットワークデータを取得するネットワーク取得手段とを有する。代替的に、本実施例の再生装置は、ローカルな記憶されたネットワークデータが再生される前に、前出のネットワーク接続と前出のネットワークデータとの間の関係を得るよう、ローカルな記憶されたマッピングファイルを検索する手段を更に有しても良い。
【００７４】
更に具体的に、参照番号４１０は再生モジュールを示し、参照番号４２０はプロキシモジュールを示し、参照番号４３０は決定モジュールを示し、参照番号４４０はアクセスモジュールを示し、参照番号４５０はローカル配置の不揮発性メモリを示し、参照番号４６０はネットワークを示す。
【００７５】
再生モジュール４１０は、不揮発性メモリ４５０から録画デジタル番組を取得する。録画デジタル番組は、音声／映像ストリーム及びアプリケーションを含む。次に、再生モジュール４１０は、音声／映像ストリームを再生し、シナリオに従ってアプリケーションを実行する。実行されるアプリケーションがネットワーク接続要求を発行する場合に、ネットワーク接続要求はプロキシモジュール４２０へ転送される。
【００７６】
プロキシモジュール４２０は、不揮発性メモリ４５０からリンク情報を読み出す。リンク情報は、リンク情報ファイル（図示せず。）に格納されても、あるいはマッピングファイルに直接に格納されても良い。
【００７７】
次に、決定モジュール４３０は、連関したネットワークデータが予め不揮発性メモリ４５０に記録されているかどうかを判断する。
【００７８】
連関したネットワークデータが不揮発性メモリ４５０に記録されていないならば、アクセスモジュール４４０は、ネットワーク４６０の対応するサーバーへ接続要求を導き、連関したネットワークデータをネットワーク４６０から取得する。
【００７９】
連関したネットワークデータが予め不揮発性メモリ４５０に記録されているならば、アクセスモジュール４４０は、記録されたネットワークデータをファイルＩ／Ｏ（入出力ファイル）を介して不揮発性メモリ４５０から取得しうる。
【００８０】
図４に示される再生モジュール４１０は、再生機又は、記憶装置を備えたセットトップボックス又は、再生機能を備えたバーナーであっても良い。再生モジュール４１０がネットワークリンクにより生放送番組を再生する場合に、プロキシモジュール４２０は、ネットワークから直接にデータを取得するように無効にされ得る。再生モジュール４１０が不揮発性メモリ４５０に録画された番組を再生する場合に、プロキシモジュール４２０はネットワークデータを得るために使用される。上述されたように、ネットワークデータは不揮発性メモリ４５０から又はネットワーク４６０から取得される。
【００８１】
例えば、双方向アプリケーションがネットワーク接続要求を起動する場合に、プロキシモジュール４２０はＵＲＬを調べる。ＵＲＬが、記録されたリンク情報ファイル又はマッピングファイルに記載されているならば、プロキシモジュール４２０は、連関したネットワークデータをローカルな不揮発性メモリ４５０から取得し、そうでない場合には、連関したネットワークデータをネットワーク４６０から取得する。代替的に、プロキシモジュール４２０は、また、連関したネットワークデータを最初にネットワーク４６０から取得しようと試みても良い。連関したネットワークデータがネットワーク４６０から取得され得ない場合に、プロキシモジュール４２０は、次に、連関したネットワークデータをローカル不揮発性メモリ４５０から取得しようと試みても良い。
【００８２】
ｉＴＶ番組を除いて、デジタル番組は他の形式を用いても良い。様々な形式のデジタル番組は、本発明に対する限定を構成しない。
【００８３】
本発明は目下好ましい実施例に関して記載されてきたが、当然、そのような開示は限定として解釈されるべきではない。様々な代替案及び変形例が、上記開示を読んだ後、当業者には明らかとなるであろう。従って、添付の特許請求の範囲が、本発明の本意及び適用範囲にある全ての代替案及び変形例を包含すると解釈されるよう意図される。
【図面の簡単な説明】
【００８４】
【図１】本発明の実施例に従うデジタル番組再生のフローチャートである。
【図２】本発明の実施例に従うデジタル番組再生のための装置を示す系統図である。
【図３】本発明の実施例に従うデジタル番組複製のための方法のフローチャートである。
【図４】本発明の実施例に従うデジタル番組複製の装置を示すブロック図である。
【図１】
2008529335.tif 000004
【図２】
2008529335.tif 000005
【図３】
2008529335.tif 000006
【図４】
2008529335.tif 000007
【国際調査報告】
2008529335.tif 000008
2008529335.tif 000009
2008529335.tif 000010